(57)【要約】【課題】  ボトルを容易に持ち運び可能なボトル携帯用装置を提供する。【解決手段】  ボトル９０の環状凹溝９３に嵌合される安全リング１０は、径方向外側に形成される複数のリブ１２および複数のリブ１２により形成される複数の挿入孔１３を有する。１枚の平板状プラスチック材から形成される機能リング２０は、両端に係合柱２１および係合孔２２を有している。機能リング２０は、安全リング１０の挿入孔１３に一端を挿入したあと、係合柱２１を係合孔２２に係合させることにより環状を形成し、安全リング１０に装着される。これにより、使用者は、機能リング２０に使ってボトル９０を持ち上げることができるようになり、ボトル９０を容易に携帯することができる。【選択図】  図１
0003179181.tif 000002
【実用新案登録請求の範囲】
【請求項１】
少なくとも一つの挿入孔を有し、ボトルに形成される環状凹溝に嵌合し、前記ボトルのキャップと分離したとき前記環状凹溝内に位置するように前記キャップに連結される安全リングと、
前記挿入孔に装着される機能リングと、
を備え、
前記機能リングを支持することにより前記ボトルを携帯することを特徴とするボトル携帯用装置。
【請求項２】
前記機能リングと前記安全リングとは、着脱可能なように設けられることを特徴とする請求項１に記載のボトル携帯用装置。
【請求項３】
前記機能リングは、１本の可撓性部材から形成され、
前記機能リングの一端には係合柱が形成され、前記機能リングの他端には前記係合柱に係合可能な係合穴を有し、
前記一端が前記挿入孔に挿入され前記係合柱と前記係合穴とが係合することにより環状となり、前記安全リングに装着されることを特徴とする請求項２に記載のボトル携帯用装置。
【請求項４】
前記機能リングは、１本の可撓性部材から形成され、
前記機能リングの一端には嵌合部が形成され、前記機能リングの他端には前記嵌合部が嵌合可能な嵌合孔および前記嵌合孔に連通する連通路を有し、
前記嵌合部が形成される前記一端は前記連通路に挿入され、前記嵌合部は前記嵌合孔に嵌合することにより環状となり、前記安全リングに装着されることを特徴とする請求項２に記載のボトル携帯用装置。
【請求項５】
前記機能リングは、平板状の環状部、および前記環状部の両側から前記環状部の平面に対して垂直な方向の一方の側に延びるように形成されるフック部を有し、
前記フック部が前記安全リングの前記挿入孔に挿入されると、前記機能リングが前記安全リングに装着されることを特徴とする請求項２に記載のボトル携帯用装置。
【請求項６】
前記機能リングは、平板状の環状部、および前記環状部の両側から前記環状部の平面に対して平行な方向の一方の側に延びるように形成されるフック部を有し、
前記フック部が前記安全リングの前記挿入孔に挿入されると、前記機能リングが前記安全リングに装着されることを特徴とする請求項２に記載のボトル携帯用装置。
【請求項７】
前記安全リングは、径方向外側に少なくとも一つのリブを有し、
前記機能リングが装着される前記挿入孔は、前記リブに形成されることを特徴とする請求項１に記載のボトル携帯用装置。
【請求項８】
前記リブおよび前記挿入孔は、形状が環状であることを特徴とする請求項７に記載のボトル携帯用装置。
【考案の詳細な説明】
【技術分野】
【０００１】
本考案は、ボトル携帯用装置に関し、詳しくはボトルを持ち上げたり、複数のボトルを連結したり、ボトルと別の物とを連結したりするボトル携帯用装置に関するものである。
【背景技術】
【０００２】
プラスチック製のボトル、例えばミネラルウォーターのペットボトルや飲料のペットボトルなどは携帯に便利な装置が設計されなかったため、持って歩く際、以下の欠点を有する。
１、手で直接キャップまたはボトルを持つことが一般的であるため、手首が疲労し、ボトルが滑って落下するような事態が起こりやすい。
２、ボトルが大きい場合、手でしっかり持つことが難しいだけでなく、ボトルが滑って落下することがよくある。
３、ボトルの本数が多い場合、全てを同時に手で持つことができない。
４、ボトルの中身が冷たい飲料であるか、ボトルが冷蔵庫から取り出された場合、外部の空気がボトルの表面に凝結し、冷たい水滴を生じさせるため、かばんの中に入れることも、別の物に掛けることもできない。また、手で直接冷たいボトルまたはキャップを持つと不快に感じるおそれがある。
【０００３】
これに対し、関連のある先行技術、例えば特許文献１および２には、キャップに配置されるボトル携帯用装置が記載されているが、当該ボトル携帯用装置は、ボトルを相互に連結する効果を持っていない。また、構成が複雑であり、製造コストが高くつく。一方、力を入れてキャップを引っ張って持ち上げるとキャップが緩んで取れてしまうような事態が起こりやすいため、改善の余地がある。
【０００４】
一方、特許文献３〜５に記載の持ち上げ用グリップは、同時に複数のボトルを持ち上げることができる。しかしながら、当該持ち上げ用グリップは、別途購入しボトルに取り付ける必要があるため、廃棄物となったとき、環境に悪影響を与えるだけでなく、紛失しやすい。また、構成が非常に複雑であることに対し、製造コストが高くつく。
【０００５】
特に特許文献３に記載の持ち上げ用グリップは、ボトルの連結機能のみを有し、携帯機能を持たないだけでなく、構成が非常に複雑であるため製造コストが高くつく。
【０００６】
本考案者は、携帯性が配慮されなかった先行技術に鑑み、多年にわたって製品の設計および開発に携わって積み重ねた経験に基づいて研究、改良および実験を絶えず進めた結果、本考案を完成させた。
【先行技術文献】
【特許文献】
【０００７】
【特許文献１】台湾実用新案公告Ｍ３３４１０１号明細書
【特許文献２】台湾実用新案公告３６８９８０号明細書
【特許文献３】台湾実用新案公告２８４１５２号明細書
【特許文献４】台湾実用新案公告３６０２０８号明細書
【特許文献５】台湾実用新案公告５３０８０７号明細書
【考案の概要】
【考案が解決しようとする課題】
【０００８】
本考案の目的は、容易にボトルを持ち運び可能なボトル携帯用装置を提供することにある。
【課題を解決するための手段】
【０００９】
本考案によるボトル携帯用装置は、安全リングおよび機能リングを備える。安全リングは少なくとも一つの挿入孔を有し、ボトルに形成される環状凹溝に嵌合する。安全リングはボトルのキャップと分離するとき環状凹溝内に位置するようにキャップに連結される。機能リングは安全リングが有する挿入孔に装着される。機能リングを支持することによりボトルを携帯する。これにより、ボトルを容易に持ち運ぶことができるだけでなく、複数のボトルを連結することにより一度に複数のボトルに持ち上げることができる。
【００１０】
また、本考案によるボトル携帯用装置は、紛失しにくく、製造コストの削減および環境保全を実現させることができる。
【００１１】
本考案の機能および特徴は、以下の具体的な実施形態および図面についての詳細な説明によって判明すると考えられる。
【図面の簡単な説明】
【００１２】
【図１】本考案の第１実施形態によるボトル携帯用装置の分解斜視図である。
【図２】本考案の第１実施形態によるボトル携帯用装置の斜視図である。
【図３】本考案の第１実施形態によるボトル携帯用装置の断面図である。
【図４】本考案の第１実施形態によるボトル携帯用装置を使用し、二つのボトルを連結した状態を示す断面図である。
【図５】本考案の第１実施形態によるボトル携帯用装置を使用し、二つのボトルを同時に持ち上げる状態を示す斜視図である。
【図６】本考案の第１実施形態によるボトル携帯用装置を使用し、複数のボトルを連結した状態を示す斜視図である。
【図７】本考案の第１実施形態によるボトル携帯用装置の機能リングの変形例を示す斜視図である。
【図８】本考案の第１実施形態によるボトル携帯用装置の安全リングの変形例を示す斜視図である。
【図９】本考案の第２実施形態によるボトル携帯用装置の分解斜視図である。
【図１０】本考案の第２実施形態によるボトル携帯用装置を使用し、二つのボトルを同時に持ち上げる状態を示す斜視図である。
【図１１】本考案の第２実施形態によるボトル携帯用装置の機能リングの変形例を示す斜視図である。
【考案を実施するための形態】
【００１３】
以下、本考案の複数の実施形態を図面に基づいて説明する。
【００１４】
（第１実施形態）
第１実施形態によるボトル携帯用装置１は、ボトル９０に装着される安全リング１０と、および機能リング２０を備える。
【００１５】
図１〜３に示すように、ボトル９０は、例えばミネラルウォーターのペットボトルや飲料のペットボトルなどの一般のプラスチック製のボトルである。ボトル９０は飲み口９１に締め付けられるキャップ９２を有する。飲み口９１には環状凹溝９３が形成される。環状凹溝９３は、通常、キャップ９２を飲み口９１に固定する固定用安全リングの装着に用いられるが、第１実施形態では安全リング１０の嵌合に用いられる。
【００１６】
安全リング１０は、ボトル９０の環状凹溝９３に嵌合される。安全リング１０は、径方向内側に形成される爪１１が環状凹溝９３に当接することでボトル９０から外れることなく回転可能に支持される。爪１１は、公知技術であるため、詳細な説明を省略する。
【００１７】
安全リング１０は、径方向外側に複数のリブ１２および複数のリブ１２により形成される複数の挿入孔１３を有する。図１に示すように、本実施形態では挿入孔１３は４つ形成されるため、挿入孔１３が形成される四方向からボトル９０を連結可能である。ボトル９０が出荷される前には、安全リング１０とキャップ９２との間は破線状に連結されるため、キャップ９２を間違えて回すことを防止し、ボトル９０の密封状態を確保する。ボトル９０が出荷され、使用者が使用するとき、キャップ９２を回すと、キャップ９２から安全リング１０が分離する。このとき、安全リング１０は環状凹溝９３内に位置する。
【００１８】
機能リング２０は、例えば、１枚の平板状プラスチック材から形成され、一定の可撓性を有する。機能リング２０は、両端のそれぞれに係合柱２１および係合孔２２が形成されている。機能リング２０は、安全リング１０の挿入孔１３に一端を挿入し、係合柱２１を係合孔２２に係合させることにより環状を形成し、安全リング１０に装着される。このように、機能リング２０は、係合柱２１と係合孔２２とを係合、または係合柱２１と係合孔２２との係合を解除することにより安全リング１０に対して脱着可能である。なお、機能リング２０は、ゴムまたは金属材料から形成されてもよい。
【００１９】
図２および図３に示すように、機能リング２０が別のボトル９０に連結していない場合、使用者は、機能リング２０によってボトル９０を持ち上げるか、またはズボンや鞄などに機能リング２０を使ってボトル９０を取り付けることにより、容易に携帯することができる。
【００２０】
また、ボトル９０の製造時に、安全リング１０、機能リング２０およびボトル９０を連結して製造することも可能であり、この場合、別途購入してボトル９０に取り付けなくてもよい。また、紛失しにくいため環境保全効果を満たすことができる。また第１実施形態によるボトル携帯用装置１は、従来用いられている固定用安全リングにリブ１２および機能リング２０のみを増設することで上記の効果を奏するため、構成が簡単であるだけでなく、製造コストを削減することができる。
【００２１】
図４および図５に示すように、ボトル９０を連結する場合、機能リング２０の係合柱２１と係合孔２２との係合を解除し、そののち機能リング２０を別のボトル９０の安全リング１０の挿入孔１３に差し込み、最後に係合柱２１と係合孔２２とを係合する。これにより、二つのボトル９０が機能リング２０によって連結され、使用者は二つのボトル９０の間の機能リング２０を支持することにより二つのボトル９０を同時に持ち上げることができる。
【００２２】
また、図６に示すように、安全リング１０に形成される複数の挿入孔１３に複数の機能リング２０を挿入し、二つ以上のボトル９０を連結すると、使用者は片手で複数のボトル９０を同時に持ち上げて歩くことができる。
このように、ボトル携帯用装置１は、安全リング１０に連結する機能リング２０によってボトル９０を持ち上げ、かつ複数のボトル９０を相互に連結するか、またはボトル９０と別の物とを連結するため、ボトル９０の携帯および使用の便をはかることができる。
【００２３】
図７には第１実施形態によるボトル携帯用装置１の機能リング２０の変形例を示す。機能リング２０は、一端に形成される嵌合部２３、他端に形成される嵌合孔２４、および嵌合孔２４に連通する連通路２５を有する。嵌合部２３が形成される一端は、連通路２５内に挿入され、連通路２５内で嵌合部２３は嵌合孔２４に嵌合する。これにより、嵌合部２３は、連通路２５内に係止されるため、機能リング２０を簡単に開閉することができる。
【００２４】
図８には第１実施形態によるボトル携帯用装置１の安全リング１０の変形例を示す。安全リング１０のリブ１２および挿入孔１３は、環状に形成される。
【００２５】
（第２実施形態）
次に、本考案の第２実施形態によるボトル携帯用装置を図９〜１１に基づいて説明する。第２実施形態は、第１実施形態と異なり、機能リングの形状が異なる。なお、第１実施形態と実質的に同一の部位には同一の符号を付し、説明を省略する。
【００２６】
図９および図１０に示すように、第２実施形態によるボトル携帯用装置２では、機能リング２０は、平板状の環状部２６、および環状部２６の両側から一方の側に延びるように形成されるフック部２７を有する。フック部２７は、環状部２６の平面に対して垂直な方向に延びるように形成される。フック部２７の先端には折り返しが形成されており、フック部２７が安全リング１０の挿入孔１３に挿入されると、リブ１２に係合する。これにより、機能リング２０を脱落させないように挿入孔１３に装着することができるだけでなく、機能リング２０と安全リング１０とを着脱可能にすることができる。また、機能リング２０によって複数のボトル９０を連結し、片手で複数のボトル９０を同時に持ち上げることができる。
【００２７】
図１１には、第２実施形態によるボトル携帯用装置２の機能リング２０の変形例を示す。機能リング２０は、平板状の環状部２８と、環状部２６の両側から一方の側に延びるように形成されるフック部２９とを有する。フック部２９は、環状部２６の平面に対して平行な方向に延びるように形成される。フック部２９の先端には折り返しが形成されており、フック部２９が安全リング１０の挿入孔１３に挿入されると、リブ１２に係合する。これにより、機能リング２０を脱落させないように挿入孔１３に装着することができるだけでなく、機能リング２０と安全リング１０とを着脱可能にすることができる。また、機能リング２０によって複数のボトル９０を連結し、片手で複数のボトル９０を同時に持ち上げることができる。
【００２８】
以上、本考案は、上記実施形態になんら限定されるものではなく、考案の趣旨を逸脱しない範囲において種々の形態で実施可能である。
【符号の説明】
【００２９】
１、２：ボトル携帯用装置、１０：安全リング、  １１：爪、  １２：リブ、  １３：挿入孔、  ２０：機能リング、  ２１：係合柱、  ２２：係合孔、  ２３：嵌合部、  ２４：嵌合孔、  ２５：連通路、  ２６：環状部、  ２７：フック部、  ２８：環状部、  ２９：フック部、  ９０：ボトル、  ９１：飲み口、  ９２：キャップ、  ９３：環状凹溝。
【図１】
0003179181.tif 000003
【図２】
0003179181.tif 000004
【図３】
0003179181.tif 000005
【図４】
0003179181.tif 000006
【図５】
0003179181.tif 000007
【図６】
0003179181.tif 000008
【図７】
0003179181.tif 000009
【図８】
0003179181.tif 000010
【図９】
0003179181.tif 000011
【図１０】
0003179181.tif 000012
【図１１】
0003179181.tif 000013